(57)【要約】【課題】すでに磁気テープ等の記録媒体に記録されている画像信号の消去をユーザが希望しない場合に、この画像信号を現在撮像している画像信号の保存の際に誤って上書き消去するのを防止することができる画像記録装置を提供する。【解決手段】画像記録装置であるデジタルビデオ１００は、不図示の撮像装置で撮像された像を光電変換し入力信号とするＣＣＤ１０１と、磁気テープ１０６に記録されている再生信号の有無を検出する信号検出回路１０９と、再生信号を磁気テープ１０６に記録する記録回路１１１と、システムコントローラ１１３とを備える。システムコントローラ１１３は入力開始モードにある場合で信号検出回路１０９が磁気テープ１０６に記録されている再生信号を検出しなかったときに上書き防止モードがＯＦＦとなり、記録回路１１１で入力信号を磁気テープ１０６に記録する。【選択図】      図１
2004172797.tif 000002
【特許請求の範囲】
【請求項１】
撮像装置により入力された第１の画像信号を記録媒体に第２の画像信号として記録する記録手段を備える画像記録装置において、
前記第２の画像信号を検出する検出手段を備え、
前記記録手段は、前記検出手段が前記第２の画像信号を検出しないときに、前記第１の画像信号を前記記録媒体に記録することを特徴とする画像記録装置。
【発明の詳細な説明】
【０００１】
【発明の属する技術分野】
本発明は、画像記録装置に関し、特に、撮像装置により入力された画像信号をランダムアクセスが不可能な磁気テープ等の記録媒体に記録する画像記録装置に関する。
【０００２】
【従来の技術】
撮像装置から入力された画像信号をデジタルビデオテープ等の磁気テープ等から成る記録媒体に記録する画像記録装置がある。従来、斯かる装置での上書き防止方法としては、記録媒体の記憶領域において画像信号が記録されていない無記録領域にのみ画像信号を記録するものや、ユーザが記録媒体に記録されている画像信号を上書きしてもよいと判断したときのみ上書きで画像信号を記録するものがある。
【０００３】
【発明が解決しようとする課題】
しかしながら、磁気テープ等を記録媒体として用いる場合、ＤＶＤやメモリカードのようにランダムアクセスができないため、記録媒体の記憶領域に画像信号が記録されていない無記録領域を探すのに時間を要する。このため、無記録領域にのみ画像信号を記録することとすると、無記録領域を探している間は撮影した画像を記録媒体に記録できないこととなる。
【０００４】
また、ユーザが記録媒体に記録されている画像信号を上書きしてもよいと判断したときのみ上書きをすることとすると、その判断が確実且つ速やかにできるのでなければ、やはりその間は撮影した画像を記録媒体に記録できないこととなる。
【０００５】
さらに、このように撮影した画像を記録媒体に速やかに記録できないと、決定的な撮影タイミングを逃してしまう場合も生じてしまう。
【０００６】
本発明の目的は、すでに磁気テープ等の記録媒体に記録されている画像信号の消去をユーザが希望しない場合に、この画像信号を現在撮像している画像信号の保存の際に誤って上書き消去するのを防止することができる画像記録装置を提供することにある。
【０００７】
【課題を解決するための手段】
上記目的を達成するために、請求項１記載の画像記録装置は、撮像装置により入力された第１の画像信号を記録媒体に第２の画像信号として記録する記録手段を備える画像記録装置において、前記第２の画像信号を検出する検出手段を備え、前記記録手段は、前記検出手段が前記第２の画像信号を検出しないときに、前記第１の画像信号を前記記録媒体に記録することを特徴とする。
【０００８】
【発明の実施の形態】
以下、本発明の実施の形態に係る画像記録装置を図面を用いて詳説する。
【０００９】
図１は、本発明の実施の形態に係る画像記録装置のブロック図である。
【００１０】
図１において、本発明の実施の形態に係る画像記録装置としてのデジタルビデオ１００は、システムコントローラ１１３を有し、以下のように構成されている。
【００１１】
システムコントローラ１１３には、内部メモリ１０４、信号切換スイッチ１０２、操作ボタン１０３、記録回路１１１（記録手段）、再生回路１１２、信号検出回路１０９（検出手段）、カウンタ１１４、及び画像処理回路１１０が接続されている。再生回路１１２は、信号検出回路１０９及び画像処理回路１１０に夫々接続され、信号検出回路１０９はカウンタ１１４に接続されている。また、内部メモリ１０４には、ＣＣＤ１０１、信号切換スイッチ１０２、記録回路１１１、及び画像処理回路１１０が接続され、さらに、信号切替スイッチ１０２を介して情報量削減回路１０５及び符号化回路１０８が接続されている。また、符号化回路１０８は内部メモリ１０４に接続されている。画像処理回路１１０には、ディスプレイ１０７が接続されている。
【００１２】
ＣＣＤ１０１は、不図示の撮像装置で撮像された画像を光電変換した入力信号（第１の画像信号）を内部メモリ１０４を介して信号切換スイッチ１０２と画像処理回路１１０に出力する。
【００１３】
信号切換スイッチ１０２は、内部メモリ１０４を介して入力信号を受信したときは、この入力信号を符号化回路１０８に出力し、一方、以下の符号化回路１０８による処理により符号化された入力信号を内部メモリ１０４を介して受信したときは、この符号化された入力信号を情報量削減回路１０５に出力する。
【００１４】
情報量削減回路１０５は、信号切換スイッチ１０２から上述の符号化された入力信号を受信したときにその情報量を削減し、符号化回路１０８に送信する。本実施の形態に係る情報量の削減は、画素間引き法及びサイズ切取法の２つの手法が用いられる。画素間引き法は、ＣＣＤ１０１からの入力信号に対して、画素を間引く手法であり、画像の縦、横両方向について間引くことで入力信号のサイズを小さくすることができる。サイズ切取法は、ＣＣＤ１０１からの入力信号に対して、任意のサイズで切り出す手法であり、これも画素間引き法と同様に、入力信号のサイズを小さくすることができる。これら２つの手法を用いることで、符号化後の入力信号の情報量を確実に削減することができる。また、この２つの手法は、一方の手法のみを使用してもよいし、２つの手法を組み合わせて使用してもよい。さらに、この２つの手法の使用方法は記録開始前に撮影者が自由に設定できるようにしてもよい。
【００１５】
符号化回路１０８は、信号切換スイッチ１０２からの入力信号、又は情報量削減回路１０５により情報量が削減された信号を受信すると、受信した信号を符号化し、内部メモリ１０４に出力する。
【００１６】
内部メモリ１０４は、システムコントローラ１１３が符号化回路１０８により符号化された入力信号を磁気テープ１０６（記録媒体）に上書き保存してもよいと判断したときに、この符号化された入力信号を記録回路１１１に出力する。一方、システムコントローラ１１３がこの符号化された入力信号を磁気テープ１０６に上書き保存してはならないと判断したときに、この符号化された入力信号を信号切換スイッチ１０２に出力する。
【００１７】
また、内部メモリ１０４は、符号化回路１０８による符号化がされた後、情報量削減回路１０５による情報量の削減及び符号化回路１０８による再度の符号化がされた入力信号を受信したときに、この情報量の削減及び符号化がされた入力信号（第３の画像信号）を一時保存する。これにより、確実に内部メモリ１０４に入力信号を一時保存することができる。
【００１８】
記録回路１１１は、内部メモリ１０４から受信した符号化された入力信号を磁気テープ１０６に記録する。以下、この記録により磁気テープ１０６に書き込まれた信号を再生信号（第２の画像信号）という。
【００１９】
再生回路１１２は、システムコントローラ１１３から磁気テープ１０６に記録されている再生信号の読み取りを開始する命令を受信したときに、磁気テープ１０６から再生信号を読み取って復合化して復号化して再生信号を画像処理回路１１０及び信号検出回路１０９に出力し、信号検出回路１０９は、再生回路１１２で復号化された再生信号の有無を検出する。
【００２０】
画像処理回路１１０は、内部メモリ１０４を介して受信した入力信号又は再生回路１１２から受信した復号化された再生信号の画像処理を行い、画像処理された信号をディスプレイ１０７に送信する。
【００２１】
カウンタ１１４は、システムコントローラ１１３が操作ボタン１０３の押下や再生信号の有無等により後述する図３のように初期値０から値を変化させるカウンタ値を記録し、また、カウンタ値が所定の値となったときに第１〜第４の信号を生成してシステムコントローラ１１３に出力する。
【００２２】
システムコントローラ１１３は、カウンタ１１４から出力される第１〜第４の信号により、又は信号検出回路１０９が再生信号を検出したか否かにより、以下の各種モードとなる。
【００２３】
具体的には、システムコントローラ１１３は、デジタルビデオ１００の起動直後は入力停止モードにあり、カウンタ値が初期値０より大きくなってカウンタ１１４が第１の信号をシステムコントローラ１１３に出力したとき、入力開始モードとなる。
【００２４】
また、システムコントローラ１１３が入力開始モードにある場合、信号検出回路１０９が再生信号を検出したとき上書き防止モードがＯＦＦとなり、検出しなかったとき上書き防止モードがＯＮとなる。尚、再生信号の検出の有無に関わらず、初期設定で上書き防止モードをＯＦＦ又はＯＮとしてもよい。
【００２５】
システムコントローラ１１３は、上書き防止モードがＯＦＦのとき、符号化後の入力信号を記録回路１１１により磁気テープ１０６に再生信号として記録する。
【００２６】
一方、上書き防止モードがＯＮの場合、操作ボタン１０３の押下の間カウンタ値が大きくなる。カウンタ値が閾値ｔｈより大きくなるまで操作ボタン１０３が押下されると、カウンタ１１４は第２の信号を生成してシステムコントローラ１１３に出力する。システムコントローラ１１３は第２の信号をカウンタ１１４から受信すると上書き許可モードとなる。一方、カウンタ値が閾値ｔｈより小さいうちに操作ボタン１０３の押下が無くなると、カウンタ１１４は第４の信号を生成してシステムコントローラ１１３に出力し、システムコントローラ１１３は第４の信号をカウンタ１１４から受信すると上書き禁止モードとなる。
【００２７】
システムコントローラ１１３は、上書き許可モードのとき操作ボタン１０３の押下中磁気テープ１０６に上記再生信号を記録し、操作ボタン１０３の押下が無くなるとカウンタ値を０とする。カウンタ１１４はカウンタ値が０となると第３の信号を生成してシステムコントローラ１１３に出力する。システムコントローラ１１３はこの第３の信号を受信すると記録中止モードとなり、磁気テープ１０６に再生信号を記録することを中止する。一方、システムコントローラ１１３は、上書き禁止モードのとき符号化及び情報量削減がされた入力信号を内部メモリ１０４に一時保存する。
【００２８】
ディスプレイ１０７は、画像処理回路１１０で画像処理が行われた入力信号及び再生信号の信号を受信して画像表示する。また、ディスプレイ１０７は、この他、システムコントローラ１１３の現在のモード、即ち、入力停止モードであるか入力開始モードであるか、上書き防止モードがＯＮであるかＯＦＦであるか、上書き許可モードであるか上書き禁止モードであるかを表示するようにしてもよい。
【００２９】
次に、図１のデジタルビデオ１００による画像記録処理を図３を用いて詳細に説明する。
【００３０】
図３は、図１のデジタルビデオ１００によって実行される画像記録処理を示すフローチャートである。
【００３１】
デジタルビデオ１００の電源がＯＮとなった直後は、カウンタ１１４はカウンタ値の初期値として０を記録しており、また、システムコントローラ１１３は入力停止モードとなっている。
【００３２】
図３において、まず、デジタルビデオ１００の起動後、操作ボタン１０３が押下されると、カウンタ１１４の記録するカウンタ値は操作ボタン１０３が押下されている間増加し続け、カウンタ値が０より大きくなると（ステップＳ３０１でＹＥＳ）、カウンタ１１４は第１の信号を生成する。システムコントローラ１１３はこの第１の信号を受信すると入力開始モードとなる。これにより、画像信号の入力の開始の制御を容易に行うことができる。また、このとき、システムコントローラ１１３の上書き防止モードはＯＦＦとなっている。
【００３３】
次に、入力開始モードとなったシステムコントローラ１１３は、不図示の撮像装置に撮像開始命令を送る（ステップＳ３０２）。このとき、ＣＣＤ１０１から受信した入力信号は内部メモリ１０４を介して信号切換スイッチ１０２及び画像処理回路１１０に送信される。信号切換スイッチ１０２は、受信した入力信号を符号化回路１０８に出力し、符号化回路１０８は受信した入力信号を符号化して内部メモリ１０４に送信する。
【００３４】
システムコントローラ１１３は、撮像開始命令を送った後、磁気テープ１０６から再生信号を読み取って復号化し、復号化した再生信号を画像処理回路１１０及び信号検出回路１０９に出力する命令を再生回路１１２に送り、磁気テープ１０６に記録されている再生信号の有無を検出する検出命令を信号検出回路１０９に送る。
【００３５】
信号検出回路１０９は、システムコントローラ１１３からの検出命令を受けると、再生回路１１２から復号化した再生信号を受信したか否かを判別することで磁気テープ１０６から再生信号が検出されるか否かを判別する（ステップＳ３０３）。
【００３６】
ステップＳ３０３の判別の結果、磁気テープ１０６から再生信号が検出されなかったとき、システムコントローラ１１３の上書き防止モードがＯＦＦとなる。このとき、システムコントローラ１１３は、受信した信号を画像処理してディスプレイ１０７に出力する命令を画像処理回路１１０に送信する。画像処理回路１１０が受信した信号は、内部メモリ１０４を介して得られたＣＣＤ１０１からの入力信号のみである。従って、ディスプレイ１０７には入力信号のみが表示される。
【００３７】
続くステップＳ３１２では、システムコントローラ１１３はカウンタ１１４が記録するカウンタ値を０とする。その後、システムコントローラ１１３は、記録回路１１１に符号化した入力信号を磁気テープ１０６に記録する命令を送り（ステップＳ３１３）、再度操作ボタン１０３が押下され、カウンタ１１４の記録するカウンタ値が０より大きくなったときに（ステップＳ３１４でＹＥＳ）、記録を停止する命令を送り（ステップＳ３０８）、本処理を終了する。
【００３８】
一方、ステップＳ３０３の判別の結果、磁気テープ１０６から再生信号が検出されたときは、システムコントローラ１１３の上書き防止モードがＯＮとなる。一度上書き防止モードがＯＮになった場合、その回の記録を停止するまで上書き防止モードを無効にできないものとする。
【００３９】
続くステップＳ３０３ａでは、システムコントローラ１１３は、検出された再生信号をディスプレイ１０７に表示させる。具体的には、システムコントローラ１１３は、磁気テープ１０６から検出された再生信号を復号化し、画像処理回路１１０に送信する命令を再生回路１１２に送信し、次に、この復号化された再生信号を画像処理すると共に、ステップＳ３０２で内部メモリ１０４を介してＣＣＤ１０１から送信された入力信号を画像処理し、この２種の信号をディスプレイ１０７に送信する命令を画像処理回路１１０に送信する。ディスプレイ１０７は、復号化や画像処理がされた再生信号及び入力信号が画像処理回路１１０から送信されると、これらの画像を表示する。
【００４０】
上述のように、画像処理回路１１０からディスプレイ１０７に送信される信号は、ステップＳ３０２で内部メモリ１０４を介してＣＣＤ１０１から送信された入力信号を画像処理したものと、ステップＳ３０３で検出された再生信号を復号化及び画像処理したものとの２種がある。これにより、ディスプレイ１０７上に入力信号と、磁気テープ１０６に記録されていた再生信号とが同時に表示されるので、ユーザは再生信号を消去し入力信号を磁気テープ１０６に上書きしてもよいものか否かを確実に判断することができる。
【００４１】
また、より詳細には、システムコントローラ１１３は、図２に示すように、ＣＣＤ１０１からの入力信号をディスプレイ１０７に全体表示される画像３０１となるよう画像処理する制御命令と、磁気テープ１０６に記録された再生回路１１２で復号化された再生信号がディスプレイ１０７にピクチャインピクチャの形で表示される画像３０２となるように画像処理する制御命令とを画像処理回路１１０に送る。これにより、ユーザは再生信号を消去し入力信号を磁気テープ１０６に上書きしてもよいものか否かをより確実に判断することができる。
【００４２】
ステップＳ３０４において、ステップＳ３０１から継続して操作ボタン１０３の押下があり、カウンタ１１４の記録するカウンタ値が決められた閾値ｔｈより大きいか否かを判別する。この判別の結果、カウンタ値が閾値ｔｈより大きいとき、カウンタ１１４は第２の信号を生成し、この第２の信号によりシステムコントローラ１１３は上書き許可モードとなり、再生回路１１２に、復号化した再生信号をディスプレイ１０７に送信することを停止する命令を送信し、これにより、ディスプレイ１０７への再生信号の画像表示を中止する（ステップＳ３０５）。これにより、ユーザにすでに磁気テープ１０６に記録されている再生信号の上書き消去が開始されたことを確実に知らせることができる。
【００４３】
次に、磁気テープ１０６に符号化された入力信号の上書き記録を（ステップＳ３０６）、操作ボタン１０３が押下されている間行う（ステップＳ３０７でＮＯ）。一方、操作ボタン１０３の押下が無くなったとき、システムコントローラ１１３はカウンタ１１４が記録するカウンタ値を０とする（ステップＳ３０７でＹＥＳ）。カウンタ１１４はカウンタ値が０となったとき第３の信号を生成する。システムコントローラ１１３は第３の信号を受信すると記録中止モードとなって記録を中止して（ステップＳ３０８）、本処理を終了する。これにより、すでに磁気テープ１０６に記録されている再生信号の上書き消去を操作ボタン１０３の押下中にのみ行い、誤って再生信号が上書き消去されることを防止することができる。
【００４４】
一方、ステップＳ３０４の判別の結果、カウンタ値が閾値ｔｈより小さいときは、カウンタ１１４は第４の信号を生成し、この第４の信号によりシステムコントローラ１１３は上書き禁止モードとなり、カウンタ１１４が記録するカウンタ値を０とする（ステップＳ３０９）。上書き許可モードのステップＳ３０５と異なり、その後も引き続き、ディスプレイ１０７には入力信号と再生信号が表示される。このとき同時に、システムコントローラ１１３は、信号切替スイッチ１０２に内部メモリ１０４を介して送信されたＣＣＤ１０１からの入力信号を情報量削減回路１０５に送信して情報量を削減し、その後、この情報量が削減された信号を符号化回路１０８に送信して符号化する命令を送る。
【００４５】
次に、システムコントローラ１１３は、内部メモリ１０４に上述の符号化や情報量の削減がされた信号を一時保存する命令を送る（ステップＳ３１０）。これにより、確実に内部メモリ１０４に入力信号を一時保存することができる。
【００４６】
次に、再度操作ボタン１０３が押下され、カウンタ１１４の記録するカウンタ値が０より大きくなったときに（ステップＳ３１１でＹＥＳ）、記録を停止して（ステップＳ３０８）、本処理を終了する。
【００４７】
ユーザは、本処理の終了後、ステップＳ３１０で一時保存された入力画像３０１を磁気テープ１０６の任意の領域に後から書き込むことができるものとする。また、ステップＳ３１０において、一時保存中の入力信号が内部メモリ１０４の記録容量を越えた場合には、操作ボタン１０３を押下しなくても強制的に記録を終了するものとする。その際、ディスプレイ１０７は、内部メモリ１０４に記録できる時間の残量を表示できるものとする。
【００４８】
本処理によれば、システムコントローラ１１３は、信号検出回路１０９により再生信号が検出されないとき（ステップＳ３０３でＮＯ）、記録回路１１１に入力信号を磁気テープ１０６に記録する命令を送るので（ステップＳ３１３）、すでに磁気テープ１０６に記録されている再生信号の消去をユーザが希望しない場合に、現在撮像している入力信号の保存の際に誤って再生信号を上書き消去するのを防止することができる。
【００４９】
また、操作ボタン１０３の押下により、カウンタ１１４が第１〜第４の信号を生成し、これらの信号の受信によりシステムコントローラ１１３は入力開始モードとなったり（ステップＳ３０１）、上書き許可モードとなったり（ステップＳ３０４）、記録中止モードとなったり（ステップＳ３０８）、上書き禁止モードとなったり（ステップＳ３０９）するので、誤って磁気テープ１０６に記録されている再生信号を上書き消去することを確実に防止することができる。
【００５０】
なお、本実施の形態では、カウンタ値が閾値ｔｈを越えるまで操作ボタン１０３の押下が続けられると（ステップＳ３０４でＹＥＳ）、システムコントローラ１１３は上書き許可モードとなり、カウンタ値が閾値ｔｈを越える前に操作ボタン１０３の押下が無くなると（ステップＳ３０４でＮＯ）、システムコントローラ１１３は上書き禁止モードとなったが、逆に、カウンタ値が閾値ｔｈを越えるまで操作ボタン１０３の押下が続けられると（ステップＳ３０４でＹＥＳ）、システムコントローラ１１３は上書き禁止モードとなり、カウンタ値が閾値ｔｈを越える前に操作ボタン１０３の押下が無くなると（ステップＳ３０４でＮＯ）、システムコントローラ１１３は上書き許可モードとなるようにしてもよい。この場合、上書き許可モードでは、操作ボタン１０３を再度押すことでシステムコントローラ１１３は記録中止モードになる。
【００５１】
本発明は、上述した実施の形態の機能を実現するソフトウェアのプログラム（図３のフローチャート）をＣＰＵに供給し、そのＣＰＵが該供給されたプログラムを読出して実行することによって、達成することができる。
【００５２】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００５３】
上記プログラムの形態は、オブジェクトコード、インタプリタにより実行されるプログラムコード、ＯＳ（オペレーティングシステム）に供給されるスクリプトデータ等の形態から成ってもよい。
【００５４】
また、本発明は、上述した実施の形態の機能を実現するソフトウェアのプログラムを記憶した記憶媒体をＣＰＵに供給し、そのＣＰＵが記憶媒体に記憶されたプログラムを読出して実行することによっても、達成することができる。
【００５５】
この場合、格納媒体から読出されたプログラムコード自体が上述した各実施の形態の機能を実現すると共に、そのプログラムコードを記憶した記憶媒体は本発明を構成する。
【００５６】
プログラムコードを記憶する記憶媒体としては、例えば、ＲＯＭ、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００５７】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００５８】
本発明の実施態様の例を以下に列挙する。
【００５９】
〔実施態様１〕  撮像装置により入力された第１の画像信号を記録媒体（１０６）に第２の画像信号として記録する記録手段（１１１）を備える画像記録装置において、前記第２の画像信号を検出する検出手段（１０９）を備え、前記記録手段は、前記検出手段が前記第２の画像信号を検出しないときに、前記第１の画像信号を前記記録媒体に記録することを特徴とする画像記録装置。
【００６０】
この実施態様により、すでに磁気テープ等の記録媒体に記録されている第２の画像信号の消去をユーザが希望しない場合に、第２の画像信号を現在撮像している第１の画像信号の保存の際に誤って上書き消去するのを防止することができる。
【００６１】
〔実施態様２〕  前記第１の画像信号の情報量を削減する情報量削減手段（１０５）と、前記情報量削減手段により情報量が削減された前記第１の画像信号を他の記録媒体（１０４）に第３の画像信号として一時保存する一時保存手段とを備えることを特徴とする実施態様１記載の画像記録装置。
【００６２】
この実施態様により、確実に第１の画像信号を一時保存することができる。
【００６３】
〔実施態様３〕  前記情報量削減手段は、画素間引き法で前記第１の画像信号の情報量を削減することを特徴とする実施態様２記載の画像記録装置。
【００６４】
この実施態様により、第１の画像信号の情報量を確実に削減することができる。
【００６５】
〔実施態様４〕  前記情報量削減手段は、サイズ切取法で前記第１の画像信号の情報量を削減することを特徴とする実施態様２又は３記載の画像記録装置。
【００６６】
この実施態様により、第１の画像信号の情報量を確実に削減することができる。
【００６７】
〔実施態様５〕  物理的に１つのボタン（１０３）として存在するユーザインターフェースと、前記ボタンの押下により第１から第４の信号を生成する信号生成手段と、前記第１の信号が生成されたときに前記第１の画像信号の入力を開始する入力開始手段と、前記第２の信号が生成されたときに前記記録手段により前記第２の画像信号の記録を開始する記録開始手段と、前記第３の信号が生成されたときに前記記録手段により前記第２の画像信号の記録を中止する記録中止手段と、前記第４の信号が生成されたときに前記一時保存手段により前記第３の画像信号の一時保存を開始する一時保存開始手段とを備えることを特徴とする実施態様２乃至４のいずれか１項に記載の画像記録装置。
【００６８】
この実施態様により、誤って記録媒体に記録されている第２の画像信号を上書き消去することを確実に防止することができる。
【００６９】
〔実施態様６〕  前記信号生成手段は、前記ボタンが押下されたときに前記第１の信号を生成することを特徴とする実施態様５記載の画像記録装置。
【００７０】
この実施態様により、画像信号の入力の開始の制御を容易に行うことができる。
【００７１】
〔実施態様７〕  前記第１の信号が生成された後、前記検出手段が前記第２の画像信号を検出したときに、前記第１の画像信号と前記第２の画像信号とを表示する表示手段（１０７）を備えることを特徴とする実施態様６記載の画像記録装置。
【００７２】
この実施態様により、ユーザは第２の画像信号を消去し第１の画像信号を記録媒体に上書きしてもよいものか否かを確実に判断することができる。
【００７３】
〔実施態様８〕  前記表示手段は、前記第２の画像信号を縮小し、前記第１の画像信号に重ねて表示することを特徴とする実施態様７記載の画像記録装置。
【００７４】
この実施態様により、ユーザは第２の画像信号を消去し第１の画像信号を記録媒体に上書きしてもよいものか否かをより確実に判断することができる。
【００７５】
〔実施態様９〕  前記信号生成手段は、前記第１の信号が生成されてから所定時間経過後も前記ボタンが押下されているときに前記第２の信号を生成することを特徴とする実施態様５乃至８のいずれか１項に記載の画像記録装置。
【００７６】
この実施態様により、ユーザがすでに記録媒体に記録されている第２の画像信号の上書き消去を希望するときにのみ上書き消去を行うことができる。
【００７７】
〔実施態様１０〕  前記第２の信号が生成されたとき、前記表示手段による前記第２の画像信号の表示を中止する表示中止手段を備えることを特徴とする実施態様９記載の画像記録装置。
【００７８】
この実施態様により、ユーザにすでに記録媒体に記録されている第２の画像信号の上書き消去が開始されたことを確実に知らせることができる。
【００７９】
〔実施態様１１〕  前記信号生成手段は、前記第２の信号が生成された後、前記ボタンの押下が無くなったときに前記第３の信号を生成することを特徴とする実施態様１０記載の画像記録装置。
【００８０】
この実施態様により、すでに記録媒体に記録されている第２の画像信号の上書き消去をボタンの押下中にのみ行い、誤って第２の画像信号が上書き消去されることを防止できる。
【００８１】
〔実施態様１２〕  前記信号生成手段は、前記第１の信号が生成されてから所定期間経過前に前記ボタンの押下が無くなったときに前記第４の信号を生成することを特徴とする実施態様６乃至１１のいずれか１項に記載の画像記録装置。
【００８２】
この実施態様により、確実に他の記録媒体に第１の画像信号を一時保存することができる。
【００８３】
〔実施態様１３〕  撮像装置により入力された第１の画像信号を記録媒体に第２の画像信号として記録する記録ステップを有する画像記録装置の画像記録方法において、前記第２の画像信号を検出する検出ステップを有し、前記記録ステップは、前記検出ステップが前記第２の画像信号を検出しないときに、前記第１の画像信号を前記記録媒体に記録する（Ｓ３１３）ことを特徴とする画像記録装置の画像記録方法。
【００８４】
この実施態様により、すでに磁気テープ等の記録媒体に記録されている第２の画像信号の消去をユーザが希望しない場合に、第２の画像信号を現在撮像している第１の画像信号の保存の際に誤って上書き消去するのを防止することができる。
【００８５】
〔実施態様１４〕  前記第１の画像信号の情報量を削減する情報量削減ステップと、前記情報量削減ステップにより情報量が削減された前記第１の画像信号を他の記録媒体に第３の画像信号として一時保存する一時保存ステップとを有することを特徴とする実施態様１３記載の画像記録方法。
【００８６】
この実施態様により、確実に第１の画像信号を一時保存することができる。
【００８７】
〔実施態様１５〕  前記情報量削減ステップは、画素間引き法で前記第１の画像信号の情報量を削減することを特徴とする実施態様１４記載の画像記録方法。
【００８８】
この実施態様により、第１の画像信号の情報量を確実に削減することができる。
【００８９】
〔実施態様１６〕  前記情報量削減ステップは、サイズ切取法で前記第１の画像信号の情報量を削減することを特徴とする実施態様１４又は１５記載の画像記録方法。
【００９０】
この実施態様により、第１の画像信号の情報量を確実に削減することができる。
【００９１】
〔実施態様１７〕  前記画像記録装置は、物理的に１つのボタンとして存在するユーザインターフェースを備え、前記ボタンの押下により第１から第４の信号を生成する信号生成ステップ（Ｓ３０１，Ｓ３０４，Ｓ３０８，Ｓ３０９）と、前記第１の信号が生成されたときに前記第１の画像信号の入力を開始する入力開始ステップ（Ｓ３０１）と、前記第２の信号が生成されたときに前記記録ステップにより前記第２の画像信号の記録を開始する記録開始ステップ（Ｓ３０６）と、前記第３の信号が生成されたときに前記記録ステップにより前記第２の画像信号の記録を中止する記録中止ステップ（Ｓ３０８）と、前記第４の信号が生成されたときに前記一時保存ステップにより前記第３の画像信号の一時保存を開始する一時保存開始ステップ（Ｓ３１０）とを有することを特徴とする実施態様１４乃至１６のいずれか１項に記載の画像記録方法。
【００９２】
この実施態様により、誤って記録媒体に記録されている第２の画像信号を上書き消去することを確実に防止することができる。
【００９３】
〔実施態様１８〕  前記信号生成ステップは、前記ボタンが押下されたときに前記第１の信号を生成することを特徴とする実施態様１７記載の画像記録方法。
【００９４】
この実施態様により、画像信号の入力の開始の制御を容易に行うことができる。
【００９５】
〔実施態様１９〕  前記第１の信号が生成された後、前記検出ステップが前記第２の画像信号を検出したときに、前記第１の画像信号と前記第２の画像信号とを表示する表示ステップを有することを特徴とする実施態様１８記載の画像記録方法。
【００９６】
この実施態様により、ユーザは第２の画像信号を消去し第１の画像信号を記録媒体に上書きしてもよいものか否かを確実に判断することができる。
【００９７】
〔実施態様２０〕  前記表示ステップは、前記第２の画像信号を縮小し、前記第１の画像信号に重ねて表示することを特徴とする実施態様１９記載の画像記録方法。
【００９８】
この実施態様により、ユーザは第２の画像信号を消去し第１の画像信号を記録媒体に上書きしてもよいものか否かをより確実に判断することができる。
【００９９】
〔実施態様２１〕  前記信号生成ステップは、前記第１の信号が生成されてから所定時間経過後も前記ボタンが押下されているときに前記第２の信号を生成することを特徴とする実施態様１７乃至２０のいずれか１項に記載の画像記録方法。
【０１００】
この実施態様により、ユーザがすでに記録媒体に記録されている第２の画像信号の上書き消去を希望するときにのみ上書き消去を行うことができる。
【０１０１】
〔実施態様２２〕  前記第２の信号が生成されたとき、前記表示ステップによる前記第２の画像信号の表示を中止する表示中止ステップを有することを特徴とする実施態様２１記載の画像記録方法。
【０１０２】
この実施態様により、ユーザにすでに記録媒体に記録されている第２の画像信号の上書き消去が開始されたことを確実に知らせることができる。
【０１０３】
〔実施態様２３〕  前記信号生成ステップは、前記第２の信号が生成された後、前記ボタンの押下が無くなったときに前記第３の信号を生成することを特徴とする実施態様２２記載の画像記録方法。
【０１０４】
この実施態様により、すでに記録媒体に記録されている第２の画像信号の上書き消去をボタンの押下中にのみ行い、誤って第２の画像信号が上書き消去されることを防止できる。
【０１０５】
〔実施態様２４〕  前記信号生成ステップは、前記第１の信号が生成されてから所定期間経過前に前記ボタンの押下が無くなったときに前記第４の信号を生成することを特徴とする実施態様１８乃至２３のいずれか１項に記載の画像記録方法。
【０１０６】
この実施態様により、確実に他の記録媒体に第１の画像信号を一時保存することができる。
【０１０７】
〔実施態様２５〕  撮像装置により入力された第１の画像信号を記録媒体に第２の画像信号として記録する記録ステップを有する画像記録装置の画像記録方法をコンピュータに実行させるプログラムにおいて、前記第２の画像信号を検出する検出ステップを有し、前記記録ステップは、前記検出ステップが前記第２の画像信号を検出しないときに、前記第１の画像信号を前記記録媒体に記録することを特徴とするプログラム。
【０１０８】
この実施態様により、すでに磁気テープ等の記録媒体に記録されている第２の画像信号の消去をユーザが希望しない場合に、第２の画像信号を現在撮像している第１の画像信号の保存の際に誤って上書き消去するのを防止することができる。
【０１０９】
【発明の効果】
以上、詳細に説明したように、請求項１記載の画像記録装置によれば、記録媒体に記録されている第２の画像信号が検出されないときに、撮像装置により入力された第１の画像信号が記録媒体に記録されるので、すでに磁気テープ等の記録媒体に記録されている第２の画像信号の消去をユーザが希望しない場合に、第２の画像信号を現在撮像している第１の画像信号の保存の際に誤って上書き消去するのを防止することができる。
【図面の簡単な説明】
【図１】本発明の実施の形態に係る画像記録装置のブロック図である。
【図２】図１のディスプレイ１０７に表示されるピクチャインピクチャの図である。
【図３】図１のデジタルビデオ１００によって実行される画像記録処理を示すフローチャートである。
【符号の説明】
１００  デジタルビデオ
１０１  ＣＣＤ
１０２  信号切替スイッチ
１０３  操作ボタン
１０４  内部メモリ
１０５  情報量削減回路
１０６  磁気テープ
１０７  ディスプレイ
１０８  符号化回路
【図１】
2004172797.tif 000003
【図２】
2004172797.tif 000004
【図３】
2004172797.tif 000005